(57)【特許請求の範囲】
【請求項１】
一つの椅子のフレーム上に他の椅子のフレームを重ねることにより複数の椅子を積み重ねるようにした積み重ねが可能な椅子であって、
前記フレームは、断面略角形のパイプを曲げ加工することにより構成されており、
前記フレームの一側面とその反対側の側面とには、そのフレームの長手方向に延びる溝部がそれぞれ形成されており、
前記溝部の幅方向両側を構成する側壁面は予め決められた曲率で形成されており、
前記フレームにおける溝部が存在しない側面を被う第一の保護カバーは可撓性のある部材で、その第一の保護カバーの幅方向における一方の端縁が一方の前記溝部の側壁面と係合可能で、他方の端縁が他方の前記溝部の側壁面と係合可能であり、
前記フレームにおける溝部が存在しない別の側面を被う第二の保護カバーは、前記第一の保護カバーと等しい構成で、その第一の保護カバーの端縁が係合していない一方の前記溝部の側壁面と他方の前記溝部の側壁面とに係合可能であることを特徴とする積み重ねが可能な椅子。
【請求項２】
請求項１に記載された積み重ねが可能な椅子であって、
第一及び第二の保護カバーにおける端縁の曲率が前記溝部の側壁面の曲率とほぼ等しい値に設定されており、
前記第一及び第二の保護カバーにおける端縁以外の内壁面における曲率がフレームの溝部が存在しない側面の曲率とほぼ等しいことを特徴とする積み重ねが可能な椅子。
【請求項３】
請求項１又は請求項２のいずれかに記載の積み重ねが可能な椅子であって、
フレームの曲がり部分を被う第三の保護カバーは可撓性のある部材で、前記フレームの側面を三方から被えるように断面コ字形に形成されており、
前記第三の保護カバーにおける一方の端縁が前記溝部における一方の側壁面と係合可能で、その保護カバーの他方の端縁がその溝部における他方の側壁面と係合可能であることを特徴とする積み重ねが可能な椅子。
【発明の詳細な説明】
【０００１】
【発明の属する技術分野】
本発明は、例えば、宴会場等で使用される積み重ねが可能な椅子に関する。
【０００２】
【従来の技術】
これに関連する従来の技術が実公平６−４１４８０号公報に記載されており、その椅子の全体側面図及び要部詳細図が図５に示されている。
前記椅子１は、角状パイプを略コ字形に屈曲して成形された左右一対の脚部フレーム２を備えている。前記脚部フレーム２は、図５（Ａ）に示されるように、前脚杆２ａ、上部杆２ｂ及び後脚杆２ｃから構成されており、前脚杆２ａと後脚杆２ｃとが上部杆２ｂと平行に設けられた補強杆２ｄによって接続されている。
また、左右一対の脚部フレーム２上には角状パイプによって四角に成形された座部フレーム４が取付けられており、さらにその座部フレーム４の後部には同じく角状パイプによって門形に成形された背凭れフレーム５が斜めに取付けられている。なお、前記座部フレーム４上には座板４ｋが、また、背凭れフレーム５には背凭れ板５ｋがそれぞれ固定されている。
【０００３】
前記椅子１を積み重ねる場合には、図５（Ａ）に示されるように、一つの椅子１の上部杆２ｂの上に他の椅子１の補強杆２ｄを重ね、さらに、一つの椅子１の後脚杆２ｃの上に他の椅子１の後脚杆２ｃを重ねることにより行う。
ここで、前記補強杆２ｄの下側には、その断面図（図５（Ｂ））に示されるように、その長手方向全範囲に渡ってＣ型溝２ｍを構成するためのリブ２ｒが固定されており、そのリブ２ｒにより形成されたＣ型溝２ｍにレール状の第一保護部材６が取付けられている。ここで、前記第一保護部材６は、図５（Ｃ）に示されるように、前記補強杆２ｄと等しい幅、及びほぼ等しい長さに成形された合成樹脂製の保護板６ｂとその保護板６ｂの上面中央に長手方向に固定された係止片６ｋとから構成されている。そして、前記第一保護部材６の係止片６ｋがＣ型溝２ｍに係合することにより前記補強杆２ｄに第一保護部材６が取付けられてその第一保護部材６の保護板６ｂが補強杆２ｄの下面を被うようになる。
【０００４】
また、前記脚部フレーム２の後脚杆２ｃにはその下側面に第二保護部材７が取付けられている。第二保護部材７は、図５（Ｄ）に示されるように、保護板７ｂとその保護板７ｂの上面に固定された複数の突起７ｔとから構成されており、それらの突起７ｔが後脚杆２ｃの取付け孔２ｋに嵌め込まれることにより、その第二保護部材７は前記後脚杆２ｃに取付けられる。これによって、前記後脚杆２ｃの要部下側面は第二保護部材７の保護板７ｂによって被われる。
このように上記した椅子１では補強杆２ｄの下面が合成樹脂製の保護板６ｂで被われており、さらに、後脚杆２ｃの要部下側面が保護板７ｂによって被われているため、椅子１を複数個重ねてもお互いのフレームが直接接触することがなく疵付きがある程度防止される。
【０００５】
【発明が解決しようとする課題】
しかしながら上記した椅子１では補強杆２ｄの下面にリブ２ｒを固定してＣ型溝２ｍを形成し、そのＣ型溝２ｍを利用してその補強杆２ｄの下面に第一保護部材６を取付ける構造である。このため、必要に応じて複数の面に保護板６ｂを取付けたい場合には各々の面にリブ２ｒを固定する必要があり、フレームが大型化するとともにその構造も複雑化する。さらに、第一保護部材６は保護板６ｂと係止片６ｋとから構成されるため構造が複雑であり製作コストが高くなる。
また、後脚杆２ｃに第二保護部材７を取付ける場合のように、取付け孔２ｋに突起７ｔを嵌め込んで保護板７ｂを取付ける方式では、フレームの所定部位に取付け孔２ｋを加工する必要があり、さらに前記取付け孔２ｋの位置に合わせて保護板７ｂ上に突起７ｔを成形する必要がある。このため、フレームの製作や保護部材７の製作に手間が係り、また、取付け後にその保護板７ｂをずらしたい場合にもその移動は困難である。
本発明の技術的課題は、簡単な機構によりフレームの広い範囲を保護カバーで確実に被えるようにすることにより、椅子を積み重ねたり、また、積み重ねる過程で互いに接触して衝撃が加わっても、疵付きを防止できる椅子を製作しようとするものである。
【０００６】
【課題を解決するための手段】
上記した課題は、各請求項の発明によって解決される。
請求項１の発明は、一つの椅子のフレーム上に他の椅子のフレームを重ねることにより複数の椅子を積み重ねるようにした積み重ねが可能な椅子であって、前記フレームは、断面略角形のパイプを曲げ加工することにより構成されており、前記フレームの一側面とその反対側の側面とには、そのフレームの長手方向に延びる溝部がそれぞれ形成されており、前記溝部の幅方向両側を構成する側壁面は予め決められた曲率で形成されており、前記フレームにおける溝部が存在しない側面を被う第一の保護カバーは可撓性のある部材で、その第一の保護カバーの幅方向における一方の端縁が一方の前記溝部の側壁面と係合可能で、他方の端縁が他方の前記溝部の側壁面と係合可能であり、前記フレームにおける溝部が存在しない別の側面を被う第二の保護カバーは、前記第一の保護カバーと等しい構成で、その第一の保護カバーの端縁が係合していない一方の前記溝部の側壁面と他方の前記溝部の側壁面とに係合可能であることを特徴とする。
本発明によると、第一及び第二の保護カバーは可撓性を有しておりフレームにおける溝部が存在しない両側面を被えるように構成されている。そして、各々の保護カバーの両側の端縁がフレームの溝部の側壁面と係合することにより、それらの保護カバーはフレームに取付けられる。前記保護カバーを使用することにより簡単な機構でフレームの広い範囲を確実に被えるようになる。さらに、前記溝部の両側に設けられた側壁面に保護カバーの端縁が係合する構成のため、従来のように保護板等を支持する必要がなく、リブ等によって大掛かりに製作する必要がない。このため、前記溝部の成形によりフレームが大型化することがない。また、前記フレームに溝部が設けられている範囲ではどの位置に保護カバーを取付けることも可能であり、さらに保護カバーをフレームの長手方向にずらすこともできる。
【０００７】
請求項２の発明によると、第一及び第二の保護カバーにおける端縁の曲率が前記溝部の側壁面の曲率とほぼ等しい値に設定されており、前記第一及び第二の保護カバーにおける端縁以外の内壁面における曲率がフレームの溝部が存在しない側面の曲率とほぼ等しいことを特徴とする。
【０００８】
請求項３の発明は、フレームの曲がり部分を被う第三の保護カバーは可撓性のある部材で、前記フレームの側面を三方から被えるように断面コ字形に形成されており、前記第三の保護カバーにおける一方の端縁が前記溝部における一方の側壁面と係合可能で、その保護カバーの他方の端縁がその溝部における他方の側壁面と係合可能であることを特徴とする。
【０００９】
【発明の実施の形態】
以下、図１〜図４に基づいて本発明の一の実施の形態に係る積み重ねが可能な椅子（以下、単に椅子という）について説明する。ここで、図１は本実施の形態に係る椅子のフレームの全体斜視図及びフレームの断面図であり、図２は図１のII詳細図及びその断面図である。また、図３は本実施の形態に係る椅子の全体斜視図及びそのB-B 矢視図である。さらに、図４は本実施の形態に係る椅子を積み重ねた状態を表す側面図である。
前記椅子１０は、図１に示されるように、左右一対の脚部フレーム１２と、両脚部フレーム１２に挟まれてその上部にほぼ水平に取付けられた座部フレーム１４と、その座部フレーム１４の後部に斜めに取付けられた背凭れフレーム１５を備えており、前記座部フレーム１４に座板１４ｋが、また、背凭れフレーム１５に表裏から背凭れ板１５ｋが固定されるようになっている。
【００１０】
前記脚部フレーム１２、座部フレーム１４及び背凭れフレーム１５は断面略角形のパイプを曲げ加工することにより成形されており、そのパイプＰの断面形状が図１（Ｂ）に示されている。前記パイプＰはアルミの押出し成形品であり、そのパイプＰの表面側（図中上側）及び裏面側（図中下側）には長手方向に浅い溝ｍが形成されている。そして、前記浅い溝ｍの側壁面ｍｓが予め決められた曲率で成形されている。
前記脚部フレーム１２は、パイプＰの浅い溝ｍが側面に位置するようにそのパイプＰを略コ字形に曲げ加工したものであり、前脚杆１２ａ、上部杆１２ｂ及び後脚杆１２ｃから構成されている。そして、前脚杆１２ａと後脚杆１２ｃとが上部杆１２ｂと平行に設けられた補強杆１２ｄによって接続されている。
【００１１】
前記脚部フレーム１２は、図１、図３に示されるように、前脚杆１２ａ、後脚杆１２ｃの前面と後面とが第一保護カバー２０によって被われており、また、上部杆１２ｂの上面と下面とが同じく第一保護カバー２０によって被われている。なお、図１、図３には、片側の脚部フレーム１２のみが第一保護カバー２０によって被われた様子が表されているが、実際には両方の脚部フレーム１２が第一保護カバー２０によって被われるものとする。
前記第一保護カバー２０は可撓性を有する断面Ｃ字形の板状部材であり塩化ビニル樹脂を押出し成形することにより製作される。なお、塩化ビニル樹脂以外にもポリプロピレンやポリエチレン等が好適に使用される。
前記第一保護カバー２０は、図１（Ｃ）に示されるように、その両側の端縁２０ｈが脚部フレーム１２の両側面に形成された浅い溝ｍの側壁面ｍｓに嵌め合わされることにより、その脚部フレーム１２に取付けられる。ここで、第一保護カバー２０の端縁２０ｈの曲率は浅い溝ｍの側壁面ｍｓの曲率とほぼ等しく、また、その内壁面中央２０ｕの曲率は脚部フレーム１２の前面、後面等の曲率とほぼ等しい。このため、第一保護カバー２０は脚部フレーム１２に密着するように取付けられる。
【００１２】
前記脚部フレーム１２の前脚杆１２ａと後脚杆１２ｃとを接続する補強杆１２ｄは丸棒状のフレームであり、図３（Ｂ）に示されるように、その下面には長手方向に塩化ビニル樹脂製の第二保護板２２が取付けられている。前記第二保護板２２はその上面２２ｕが補強杆１２ｄの下面に面接触するような曲率で成形されており、さらに、その下面２２ｄが平面となるように成形されている。そして、補強杆１２ｄの下面長手方向に形成されたレール状の突条１２ｔに第二保護板２２の上面に形成された溝２２ｍが係合することにより、第二保護板２２は補強杆１２ｄの下面に取付けられる。なお、第二保護板２２の材料としては塩化ビニル樹脂以外にもポリプロピレンやポリエチレン等が好適に使用される。
【００１３】
前記座部フレーム１４は、図１、図２に示されるように、前記パイプＰの浅い溝ｍが側面に位置するようにそのパイプＰを略角形に曲げ加工したものであり、その座部フレーム１４の四隅に第三保護カバー２３が取付けられるようになっている。前記第三保護カバー２３は塩化ビニル樹脂製の断面コ字形の部材であり、図２（Ｂ）に示されるように、座部フレーム１４の上面、前側面及び下面を被ってその両側の端縁２３ｈがその座部フレーム１４の内側面に形成された浅い溝ｍの側壁面ｍｓに嵌合するようになっている。これによって、第三保護カバー２３は座部フレーム１４の周囲を被うようにその座部フレーム１４の四隅に取付けられる。ここで、第三保護カバー２３の端縁２３ｈの曲率は浅い溝ｍの側壁面ｍｓの曲率とほぼ等しく、また、その内壁面両側２３ｕの曲率は座部フレーム１４の上面、下面の曲率とほぼ等しい。このため、第三保護カバー２３は座部フレーム１４に密着するように取付けられる。なお、第三保護カバー２３の材料としては塩化ビニル樹脂以外にもポリプロピレンやポリエチレン等が好適に使用される。
前記背凭れフレーム１５は、図１に示されるように、パイプＰの浅い溝ｍが側面に位置するようにそのパイプＰを曲げ加工したものであり、その背凭れフレーム１５の前面と後面とが前述の脚部フレーム１２と同様に第一保護カバー２０（図示されていない）によって被われている。
【００１４】
このように製作された椅子１０を積み重ねる場合には、図４に示されるように、一つの椅子１０の脚部フレーム１２の上部杆１２ｂの上に他の椅子１０の補強杆１２ｄを重ね、さらに、一つの椅子１０の脚部フレーム１２の前脚杆１２ａ、後脚杆１２ｃの上に他の椅子１０の脚部フレーム１２の前脚杆１２ａ、後脚杆１２ｃを重ねることにより行う。ここで、前述のように脚部フレーム１２はその前脚杆１２ａ、上部杆１２ｂ及び後脚杆１２ｃが第一保護カバー２０によって被われており、また、補強杆１２ｄの下面が第二保護板２２によって被われているため、椅子１０を積み重ねてもお互いのフレームが直接接触することがなく疵付きが防止される。
また、前記椅子１０の座部フレーム１４は四隅が第三保護カバー２３によって被われており、さらに、背凭れフレーム１５の前面と後面とが第一保護カバー２０によって被われているため、積み重ねる過程で椅子１０が互いに接触したとしても疵付きを防止することができる。
【００１５】
このように、本実施の形態に係る椅子１０では、フレーム１２，１４，１５の浅い溝ｍを除く外側面を全周にわたって塩化ビニル樹脂製の保護カバー２０，２３で被う方式である。このため、簡単な機構でフレーム１２，１４，１５の広い範囲を保護カバー２０，２３により確実に被えるようになる。さらに、前記浅い溝ｍは保護カバー２０，２３の端縁２０ｈ，２３ｈが係合できれば良く、従来のようにリブ等によって大掛かりに製作する必要がない。このため、浅い溝ｍの成形によりフレーム１２，１４，１５が大型化、複雑化することはない。また、前記フレーム１２，１４，１５に浅い溝ｍが設けられている範囲ではどの位置に保護カバー２０，２３を取付けることも可能であり、さらに、保護カバー２０，２３をフレーム１２，１４，１５の長手方向にずらすこともできる。
また、フレーム１２，１５の片側のみを保護カバー２０によって被うことができるため、フレームの疵付き易い部位のみ重点的に保護カバーで被うことも可能となる。
【００１６】
以上、本発明の実施の形態について説明したが、この発明の実施の形態には請求の範囲に記載した技術的事項以外に次のような各種の技術的事項を有するものであることを付記しておく。
（１）  請求項１に記載された積み重ねが可能な椅子において、
フレームは中空に成形されていることを特徴とする積み重ねが可能な椅子。
即ち、フレームを中空にすることにより椅子を軽量化できる。
（２）  請求項１に記載された積み重ねが可能な椅子において、
保護カバーは、その両側の端縁が自身の弾性力によりそれぞれ溝部に係合することによりフレームに取付けられることを特徴とする積み重ねが可能な椅子。
このため、保護カバーをフレームに取り付ける際に、例えば、ビス等の材料が必要なくなり、取付けの容易化やコスト低減を図ることが可能になる。
【００１７】
【発明の効果】
本発明によると、簡単な機構でフレームの広い範囲を保護カバーにより確実に被えるようになるために、椅子を積み重ねたり、また、積み重ねる過程で互いに接触して衝撃が加わっても、疵付きを防止することができる。
【図面の簡単な説明】
【図１】本発明の一の実施の形態に係る積み重ねが可能な椅子のフレームの全体斜視図及びフレームの断面図である。
【図２】図１のII詳細図である。
【図３】本発明の一の実施の形態に係る積み重ねが可能な椅子の全体斜視図及びそのB-B 矢視図である。
【図４】本発明の一の実施の形態に係る積み重ねが可能な椅子を積み重ねた状態の側面図である。
【図５】従来の積み重ねが可能な椅子の全体側面図及び要部詳細図である。
【符号の説明】
ｍ      浅い溝
ｍｓ    側壁面
Ｐ      パイプ
１２    脚部フレーム
１４    座部フレーム
１５    背凭れフレーム
２０    第一保護カバー
２３    第三保護カバー
【図１】
0003703537.tif 000002
【図２】
0003703537.tif 000003
【図３】
0003703537.tif 000004
【図４】
0003703537.tif 000005
【図５】
0003703537.tif 000006